(57)【要約】      （修正有）【課題】アレルギー源、汚れや異臭を確実にろ過できる鼻腔ろ過器を提供する。【解決手段】ラッパ状で、使用時に鼻穴に入られる二ろ過ユニットが設けられており、各ろ過ユニットにはフィルター構造２０があり、前記フィルター構造の外観は、ろ過ユニットの外観に合わせるためのラッパ状に設けられており、前記ろ過ユニットはフレキシブル材質からできたものであり、フィルター構造は柔らかい材質から作られたものであり、前記二ろ過ユニットはそれぞれユーザの鼻穴の中に固定され、そして、外凸カーブ構造によってつながるようになることを特徴とする。【選択図】図２
0003139532.tif 000002
【実用新案登録請求の範囲】
【請求項１】
ラッパ状の二ろ過ユニットが設けられ、各ろ過ユニットにはフィルター構造があり、前記フィルター構造の外観は、ろ過ユニットの外観に合わせるためのラッパ状に設けられており、前記ろ過ユニットはフレキシブル材質からできたものであり、フィルター構造は柔らかい材質から作られたものであり、前記二ろ過ユニットはそれぞれユーザの鼻穴の中に固定され、そして、外凸カーブ構造によってつながるようになっており、前記ろ過ユニットはラッパ状スタンドがあり、前記スタンドは内リング及び外リングがあり、前記内リング及び外リングは、複数本の筋材のつながりにより、ラッパ状構造が作られるようになり、その何れかの筋材は軸方向に一体化し、前記カーブ構造の片側につながり、それぞれカーブ構造の両側につながる筋材は、前記カーブ構造と一体化し、鼻筋をはさむように設けられるＵ型構造となることを特徴とする、鼻腔ろ過器。  
【請求項２】
前記Ｕ型構造の中には、プラスチック材質の筋条構造が設けられることにより、Ｕ型構造の形状を微調整できるようにすることを特徴とする、請求項１に記載の鼻腔ろ過器。
【請求項３】
前記ろ過ユニットにおいて、カーブ構造と異なった何れかの筋材は、外向きでユーザの鼻翼に設けられた勾部により、本考案の実施時の安定性を向上させることを特徴とする、請求項１に記載の鼻腔ろ過器。
【請求項４】
前記内リング及び外リングの面積は、１：３の割合に設計されることを特徴とする、請求項１に記載の鼻腔ろ過器。
【請求項５】
前記ろ過ユニットにおいて、カーブ構造と異なった何れかの筋材は、外向きでユーザの鼻翼に設けられた勾部により、本考案の実施時の安定性を向上させることを特徴とする、請求項２に記載の鼻腔ろ過器。
【請求項６】
前記内リング及び外リングの面積は、１：３の割合に設計されることを特徴とする、請求項２に記載の鼻腔ろ過器。
【請求項７】
前記内リング及び外リングの面積は、１：３の割合に設計されることを特徴とする、請求項３に記載の鼻腔ろ過器。
【考案の詳細な説明】
【技術分野】
【０００１】
本考案は鼻腔ろ過器に関わり、特にアレルギー源、汚れや異臭を確実にろ過できる鼻腔ろ過器である。  
【背景技術】
【０００２】
島の気候は一般的に湿暑くて、朝と夜の温度差が大きいうえに、近年、空気の汚染が益々ひどくなったため、アレルギー性鼻炎はよく見られる疾患である。お医者の指示と意見を受けて、アレルギー源から離れるように適当に運動をして、住居の環境をきれいに保つことにより、エネルギー性鼻炎にかかる恐れが低くなるが、仕事や学校に行くとき、じっと同じ生活環境に居られないため、マスクをつけるのが最も簡単で経済的な方法である。
【０００３】
マスクをつけて、一部分のアレルギー源の侵入を防ぐことができるが、マスクをつけると、以下のような不便なところや欠点がある。
１．蒸し暑い感じがすること：特に暑い夏や高温の作業場にいるとき、長時間にマスクをつけると、蒸し暑い感じで、マスクを次第に低く下げるようにして、知らないうちに鼻がマスクから露出し、マスクをつける目的がなくなってしまう。
２．重複使用されて衛生的に心配されること：マスクをつける間に、マスクが口や鼻に完全に接触しており、口や鼻から大量の細菌がマスクの上に吹き出され、口や鼻からの熱気が細菌の成長しやすい環境になり、そして、マスクが重複に使用されるため、アレルギー源からの侵入を避けることはできるが、その他の病原菌にかかるのである。  
３．顔にぴったりとフィットしないこと：市販のマスクは一般的に、耳にかけるエラスティックバンドを使って位置が固定されるようになるが、エラスティックバンドの引っ張りでマスクが変形され、ユーザの顔にぴったりとフィットしなかったり、鼻先のところに隙間が発生したりして、フィルター機能が低減される。
【０００４】
マスクの使用は上述のような欠点があるが、マスクを使おうとしても使えない場合もある。例えば、勤務中の交通警察は、交通を指揮したり、通行人へ警告するため警笛を吹くので、マスクで口を覆うことができない；
そして、きれいに化粧しているお嬢さんは、礼儀を表すほかに自分の魅力さや元気さを見せる化粧ぶりとなっており、社交の場でマスクをつけると、化粧乱れになりがちで、口紅がマスクについたら容易に洗い落とせず、衛生の要求にも合わないことである。
【考案の開示】
【考案が解決しようとする課題】
【０００５】
本考案の主要目的は、上述の問題点を解決し、マスクのメリットを持ちながら、マスクを使用するときの不便な欠点を改善するための鼻腔ろ過器を提供することである。
【課題を解決するための手段】
【０００６】
上述の目的により、本考案はラッパ状の二ろ過ユニットが設けられ、各ろ過ユニットにはフィルター構造があり、前記フィルター構造の外観は、ろ過ユニットの外観に合わせるためのラッパ状に設けられており、前記ろ過ユニットはフレキシブル材質からできたものであり、フィルター構造は柔らかい材質から作られたものであり、前記二ろ過ユニットはそれぞれユーザの鼻穴の中に固定され、そして、外凸カーブ構造によってつながるようになっており、前記ろ過ユニットはラッパ状スタンドがあり、前記スタンドは内リング及び外リングがあり、前記内リング及び外リングは複数本の筋材のつながりにより、ラッパ状構造が作られるようになり、その何れかの筋材は軸方向に一体化し、前記カーブ構造の片側につながり、それぞれカーブ構造の両側につながる筋材は前記カーブ構造と一体化し、鼻筋をはさむように設けられるＵ型構造となることを特徴とする。  
【考案を実施するための最良の形態】
【０００７】
本考案は鼻腔ろ過器に関わることであり、図１から図４まで示されるように、ラッパ状の二ろ過ユニット１０が設けられ、各ろ過ユニットにはフィルター構造２０があり、前記フィルター構造２０の外観は、ろ過ユニット１０の外観に合わせるためのラッパ状に設けられており、前記ろ過ユニット１０はフレキシブル材質からできたものであり、フィルター構造２０は柔らかい材質から作られたものであり、本考案が実施されたとき、前記二ろ過ユニット１０はそれぞれユーザの鼻穴の中に固定され、そして、外凸カーブ構造１００によってつながるようになっており、前記二ろ過ユニット１０の構造は完全に同じものであるため、以下その中の一ろ過ユニット１０について詳しく説明する。
【０００８】
前記ろ過ユニット１０はラッパ状スタンド１１があり、前記スタンド１１は内リング１２及び外リング１３があり、前記内リング１２及び外リング１３は、複数本の筋材１４のつながりによってラッパ状構造が作られるようになる。
【０００９】
図２は本考案の好適な実施形態だが、筋材１４の数は四本で、素の中の何れかの筋材１４は軸方向に一体化し、前記カーブ構造１００の片側につながり、それぞれカーブ構造１００の両側につながる筋材１４は、前記カーブ構造１００と一体化し、鼻筋をはさむように設けられるＵ型構造２００となるものであり、前記Ｕ型構造２００の中には、プラスチック材質の筋条構造２０１が設けられることにより、Ｕ型構造２００の形状を微調整できるようにして、鼻筋によりフィットさせ、本考案が実施されたときの快適さを向上させるようにするとし、前記ろ過ユニット１０において、カーブ構造１００と異なった何れかの筋材１４は、ユーザの鼻翼に外向で設けられた勾部１５により、本考案の実施時の安定性を向上させるのである。
【００１０】
ユーザが本考案をつけたとき、ろ過ユニット１０が鼻毛に触れて、鼻の粘膜が刺激され、かゆみやくしゃみなどにならないように、本考案は寸法上、次のような制限がある。前記外リング１３は、人の鼻穴の形状と大きさに設けられており、フレキシブル材質で作られたものであるため、やや圧縮すれば小さな鼻穴にも適用し、子供や鼻穴が大きい者など様々な寸法に作られ、特定なユーザに提供できるものであり、前記内リング１２及び外リングの面積は１：３の割合に設計され、両者の垂直距離は約一センチであるため、内リング１２が鼻穴に入りすぎ、鼻毛に触れ鼻の粘膜が刺激されて、くしゃみをしたい不快感にならないのである。
【００１１】
なお、成形スタンド１１及びカーブ構造１００は、透明や肌色の材料が採用されており、本考案が実施されたとき、周りの人に気づかれにくく、全体の美しさが向上される。
【００１２】
上述の内容をまとめると、本考案は以下のような長所がある。
１．つけたときの快適さ：本考案はすべてフレキシブル材質や柔らかい材質で作られたものであり、それをつけるとき、皮膚が圧迫され、不快感が生じないし、筋材１４及びカーブ構造１００からなるＵ型構造２００には、プラスチック材質の筋条構造が設けられており、ユーザは実際の必要に応じて不快感がないようにＵ型構造２００の幅を調整することができるのである。  
２．作りやすい：本考案は、射出成形の金型から一回の射出量で完成されるもので、製造コストが低く、販売価格も安くて使い捨てができるので、洗浄不要で個人の衛生を促進する。  
３．使いやすい：本考案は直接に鼻腔の中に入れられるもので、従来のマスクのように口が覆われる欠点がなく、勤務中の警官や化粧している女性でも、便利に使えるものである。  
４．見た目がよい：本考案の成形スタンド１１及びカーブ構造１００は、透明や肌色の材料が採用されており、本考案が実施されたとき、周りの人に気づかれにくく、全体の美しさが向上される。
【図面の簡単な説明】
【００１３】
【図１】本考案の立体外観図
【図２】本考案の立体分解図
【図３】本考案が図１におけるＡ−−Ａカットラインに沿った断面図
【図３Ａ】本考案における図３の一部拡大図
【図４】本考案の実施形態の参考図
【符号の説明】
【００１４】
１０      ろ過ユニット
１００    外凸カーブ構造
１１      ラッパ状スタンド
１２      内リング
１３      外リング
１４      筋材
１５      匂部
２０      フィルター構造
２００    Ｕ型構造
２０１    筋条構造
【図１】
0003139532.tif 000003
【図２】
0003139532.tif 000004
【図３】
0003139532.tif 000005
【図３Ａ】
0003139532.tif 000006
【図４】
0003139532.tif 000007